(57)【要約】【課題】注意喚起のためのシール貼付を不要とし、仮に電池パックが離脱されても注意喚起のための表示を継続できる電子機器を提供する。【解決手段】電子機器（携帯電話機１）は、画像が表示され、表示された画像に対して消去もしくは上書き処理がなされるまで画像の表示を継続するとともに、画像の表示を継続する電力が不要なケーシング表示パネル８０と、自機に電力を供給する電池パック６０と、電池パック６０を覆う電源筐体（電池パックカバー７０）と、電源筐体の自機への着脱状態を検知するマイクロスイッチ７２と、マイクロスイッチ７２による検知結果に基づき、電源筐体が離脱されている場合、ケーシング表示パネル８０に対して電池パック６０に関する情報を表示する主制御部３８およびケーシングパネル表示制御部４５と、により構成される。【選択図】図４
2008211512.tif 000002
【特許請求の範囲】
【請求項１】
画像が表示され、当該表示された画像に対して消去もしくは上書き処理がなされるまで前記画像の表示を継続するとともに、前記画像の表示を継続する電力が不要な表示手段と、
自機に電力を供給する電源手段と、
前記電源手段を覆う電源筐体と、
前記電源筐体の自機への着脱状態を検知する検知手段と、
前記検知手段による検知結果に基づき、前記電源筐体が離脱されている場合、前記表示手段に対して前記電源手段に関する情報を表示する制御手段と、
を備えたことを特徴とする電子機器。
【請求項２】
前記表示手段は、
前記制御手段による制御にしたがい、前記電源手段が自機から離脱された場合の警告を含む前記電源手段に関する情報を表示する
ことを特徴とする請求項１に記載の電子機器。
【請求項３】
前記制御手段は、
前記電源手段に関する情報を前記表示手段に強調表示する
ことを特徴とする請求項１または２に記載の電子機器。
【請求項４】
前記表示手段は、
前記電源手段を覆う筐体を視認可能な方向から視認可能な任意の位置に実装される
ことを特徴とする請求項１から３のいずれか１項に記載の電子機器。
【発明の詳細な説明】
【技術分野】
【０００１】
本発明は、一度表示を行うと同内容の表示を継続するための電力を要しない、例えば、電子ペーパー等の表示デバイスを実装した携帯電話機等の電子機器に関する。
【背景技術】
【０００２】
電子ペーパーは、一度表示を行うとその表示を維持するための電力を必要しない表示デバイスとして最近注目されている。既に、駅構内の広告等で一部電子ペーバーが実用化されている。電子ペーパーは、紙のように柔軟で読みやすく、低価格であることを特徴とする新しい表示デバイスである。
また、情報は随時書き換えが可能なうえ、一度表示すれば電力を必要とすることなく内容が保存される。厚さは、紙に近くおおよそ２００ミクロン〜３００ミクロンと非常に薄く、紙のように柔軟性に富む。
【０００３】
構造は比較的単純であり、２枚のプラスチックの間にコピー機等に使用されている帯電トナーを封じ込め、数ボルト〜数１０ボルト程度の電圧を印加し、その結果、プラスチックの内側面では帯電トナーの吸着／離着が起こり、情報が書き込まれる仕組みになっている。
【０００４】
また、ひとつの画素をＲＧＢに３分割し、あるいはＣＭＹの３層を上下に積層することでカラー表示も可能である。このような画像形成技術は、Ｉｎ−Ｐｌａｎｅ型電気泳動方式と称されているが、他にもいくつかの画像形成技術が知られている。
【０００５】
一方、携帯電話機の多様化に伴い、携帯電話機筐体の表面に様々なデザインが施され、ファッションとして認識しているユーザも多い。
【０００６】
このユーザニーズにこたえるため、電池パックカバーを複数用意し、これらを交換することで外観デザインを変更する、着せ替えタイプの携帯電話機が出現するようになった（例えば、特許文献１参照）。
【０００７】
更に、使い勝手を良くするため、筐体に上記した電子ペーパーを実装し、ユーザの嗜好に基づく画像を表示することで筐体デザインを変更する等の提案もなされている（例えば、特許文献２参照）。
【特許文献１】特開２００３−１４３２８０号公報
【特許文献２】特開２００５−２１０３２０号公報
【発明の開示】
【発明が解決しようとする課題】
【０００８】
ところで、上記した携帯電話機は、小型化、低廉価を最重要設計事項としており、このため、小型部品の積極的採用や不要部品の削除等が行われる。例えば、携帯電話機には、時計表示や、不測の事態が発生した場合のバックアップ用に、主電源のバッテリ（電池パック）とは別の補助電池が内蔵されているが、この補助電池も例外ではない。
このため、携帯電話機使用中に主電源として実装される電池パックが機器本体から離脱された場合、処理途中のデータあるいは重要なデータが破壊されることがある。このため、注意喚起を行うシールを貼付し、あるいはＬＣＤ（Liquid Crystal Display Device）等の表示デバイスに注意喚起のメッセージを表示することが考えられる。
【０００９】
しかしながら、前者はシール貼付の手間を有するとともに携帯電話機としての見映えが悪くなり、また、後者は、電池パックが取り外されてＬＣＤに電力が供給されなくなった場合に注意喚起のメッセージも表示されなくなるといった問題が発生する。したがって、電池パックが無意味に離脱されることがないように対策を講じる必要がある。
【００１０】
本発明は上記した課題を解決するためになされたものであり、注意喚起のためのシール貼付を不要とし、仮に電池パックが離脱されても注意喚起のための表示を継続できる電子機器を提供することを目的とする。
【課題を解決するための手段】
【００１１】
上記した課題を解決するために本発明の電子機器は、画像が表示され、当該表示された画像に対して消去もしくは上書き処理がなされるまで前記画像の表示を継続するとともに、前記画像の表示を継続する電力が不要な表示手段と、自機に電力を供給する電源手段と、前記電源手段を覆う電源筐体と、前記筐体の自機への着脱状態を検知する検知手段と、前記検知手段による検知結果に基づき、前記筐体が離脱されている場合、前記表示手段に対して前記電源手段に関する情報を表示する制御手段と、を備えたものである。
【００１２】
また、本発明の電子機器において、前記表示手段は、前記制御手段による制御にしたがい、前記電源手段が自機から離脱された場合の警告を含む前記電源手段に関する情報を表示するように構成してもよい。
【００１３】
また、本発明の電子機器において、前記制御手段は、前記電源手段に関する情報を前記表示手段に強調表示するように構成してもよい。
【００１４】
また、本発明の電子機器において、前記表示手段は、前記電源手段を覆う筐体を視認可能な方向から視認可能な任意の位置に実装される。
【発明の効果】
【００１５】
本発明によれば、注意喚起のためのシール貼付を不要とし、仮に、電池パックが離脱されても注意喚起のための表示を継続できる電子機器を提供することができる。
【発明を実施するための最良の形態】
【００１６】
図１は、本発明の実施の形態に係る電子機器としての携帯電話機１の外観を開状態で示す正面図であり、図２は、携帯電話機１の外観を開状態で示す視点が側方寄りの斜視図であり、図３（ａ）は、携帯電話機１の外観を開状態で示す正面図であり、図３（ｂ）は、携帯電話機１の外観を開状態で示す背面図である。
【００１７】
携帯電話機１は、いわゆる折り畳み式の筐体構造になっており、開状態と閉状態との間で互いに回動自在に連結された受話筐体２、および送話筐体３とを備えている。
受話筐体２および送話筐体３は、それぞれの端部が回動の中心となる連結部４により連結されることにより携帯電話機１として全体の筐体を形成する。
受話筐体２および送話筐体３は、それぞれ概ね薄型直方体状に形成されており、閉状態では互いに重ね合わされ、一方の筐体側から他方の筐体側を見たときに互いの輪郭が略一致するようになっている。
【００１８】
また、受話筐体２は、閉状態で送話筐体３に対向する面側の正面側ケース６と、その背面側の背面側ケース７と、背面側ケース７の背面側に取り付けられるパネル８とを備えている。受話筐体２の閉状態で送話筐体３に対向する正面Ｓ１は正面側ケース６により構成され、その反対側の背面Ｓ２は背面側ケース７およびパネル８により構成されている。
正面側ケース６、背面側ケース７およびパネル８は、例えば、非導電性の樹脂によりそれぞれ成形されている。
【００１９】
受話筐体２の正面Ｓ１には、通話用のスピーカ（不図示）の放音孔１２が開口している。受話筐体２には、正面Ｓ１に映像や文字を表示するメイン表示部１３（表示モニタ）と、背面Ｓ２に映像や文字を表示するサブ表示部１４（図３（ａ））とが設けられている。
すなわち、閉状態にて隠れる位置にメイン表示部１３が、閉状態にしても隠れない位置にサブ表示部１４がそれぞれ設けられている。メイン表示部１３、およびサブ表示部１４は、例えば、ＬＣＤ表示装置や、有機ＥＬ（Electro-Luminescence）表示装置などの表示デバイスにより構成される。
【００２０】
なお、パネル８は透光性を有しており、サブ表示部１４の保護カバーを兼ねている。さらに、パネル８の内側には背面Ｓ２側を撮影方向とするカメラ２０が配されている。
【００２１】
送話筐体３は、閉状態で受話筐体２に対向する面側の正面側ケース９と、その背面側の背面側ケース１０と、背面側ケース１０の背面側に被せられる蓋体１１とを備えている。送話筐体３の閉状態で受話筐体２に対向する正面Ｓ３は正面側ケース９により構成され、その反対側の背面Ｓ４は背面側ケース１０および蓋体１１により構成されている。
正面側ケース９、背面側ケース１０および蓋体１１は、たとえば非導電性の樹脂によりそれぞれ成形されている。
【００２２】
また、送話筐体３内部には不図示のガイドに沿って電源手段としての電池パック６０が内蔵されており、当該電池パック６０は、電源筐体としての電池パックカバー７０により覆われている。
電池パックカバー７０には、その周端部にラッチ７１が設けられており、電池パック６０の装着時にラッチ７１に対向する送話筐体３内部のガイド位置に形成された不図示の溝と係合することで電池パック６０が離脱することを防いでいる。
【００２３】
なお、図３（ｂ）に矢印Ａで示す方向に力を加え、ラッチ７１を解除することによって電池パックカバー７０が開き、電池パック６０を取り出すことができる。また、上記したラッチ７１と係合する溝の近傍には検知手段としてのマイクロスイッチ７２が実装されており、このマイクロスイッチ７２により、電池パックカバー７０の装着／離脱を検出できるようになっている。
【００２４】
上記した電池パック電池パックカバー７０の近傍の蓋体１１表面に、電子ペーパー（以降では便宜上、ケーシング表示パネル８０という）が実装されている。電子ペーパーは上記したように一度表示を行うとその表示を維持するための電力を必要しない表示デバイスであり、電池パック６０の装着時、例えば、「電源ＯＮ中の電池パックの取り外しはデータが失われる可能性があります」といった注意喚起のための警告メッセージが表示される。
このように、ケーシング表示パネル８０は、画像が表示され、当該表示された画像に対して消去もしくは上書き処理がなされるまで画像の表示を継続するとともに、画像の表示を継続する電力が不要な表示手段、として用いられる。
【００２５】
一方、送話筐体３の正面Ｓ３には通話用のマイクロフォン（不図示）の集音孔１６が開口し、背面Ｓ４では報知用スピーカ（不図示）に放音孔１７が外側へ向けて閉口している。送話筐体３には、正面Ｓ３に露出する各種キーを含む操作部１８が設けられている。
各種キーは、たとえばダイヤルキー１８ａ、カーソルキー１８ｂ、ファンクションキー１８ｃ、決定キー１８ｄである。また、送話筐体３には、背面Ｓ２側を撮影方向とするカメラ２０、背面Ｓ４側を送受信方向とする赤外線信用の赤外線通信部２１が設けられている。
【００２６】
連結部４は、受話筐体２の端部に切り欠き部２７が、送話筐体３の端部に突出部２８が形成され、切り吹き部２７に突出部２８が嵌合されて互いに回動自在に軸支され、構成されている。
【００２７】
切り欠き部２７および突出部２８は、例えば、回転軸方向（図１の紙面左右方向）の幅が受話筐体２および送話筐体３の幅の半分程度の大きさに形成され、受話筐体２および送話補筐体３の幅方向の中央に形成されている。突出部２８は、送話筐体３の正面Ｓ３から、閉状態において受話筐体２と対向する方向へ、受話筐体２の厚みと同程度の高さで突出している。
【００２８】
図４は、本発明の実施の形態にかかわる電子機器の信号処理系の構成の一例を示すブロック図である。ここでも電子機器として携帯電話機１が例示されている。
【００２９】
携帯端末装置１は、図４に示されるように、第１の筐体としての受話筐体２と、第２の筐体としての送話筐体３とから成り、受話筐体２と送話筐体３とは、上記したように機械的には連結部４（ヒンジ機構）を介して接続され、電気的には第１のケーブルとしてのメインケーブル４３と、第２のケーブルとしてのカメラケーブル４４とにより接続される。
これらメインケーブル４３、およびカメラケーブル４４は、ともに細線同軸ケーブルにより構成され、ともに切り欠き部２７から突出部２８内へ挿通するヒンジ軸受け内を通って送話筐体内と受話筐体内とを連結している。
【００３０】
細線同軸ケーブルは、同軸ケーブルの中でも比較的径が小さいものであり、たとえば、直径１ｍｍ以下である。最近では、直径０．３ｍｍ以下のものも知られ、ＦＰＣに比べて耐ノイズ性が高く、配線性および屈曲性に優れている。
【００３１】
受話筐体２には、第１の表示部としてのメイン表示部１３と、第２の表示部としてのサブ表示部１４と、カメラ２０と、スピーカ５０とが実装される。また、メイン表示部１３と、サブ表示部１４は、表示デバイスとしてＬＣＤが実装される。
【００３２】
一方、送話筐体３は、回路基板３０と、ＴＶアンテナ３１と、送受信アンテナ３５と、マイク４２と、電池パック６０と、ケーシング表示パネル８０とにより構成される。回路基板３０上には、ＴＶチューナ３２と、画像復号部３３と、画像表示制御部３４と、通信処理部３６と、音声処理部３７と、主制御部３８と、キー入力処理部３９と、メモリ４０（主記憶部）と、スイッチ回路４１と、ケーシングパネル表示制御部４５とが実装される。
【００３３】
主制御部３８は、例えば、ＣＰＵ（不図示）により構成され、ＣＰＵがメモリ４０に記録されたプログラムを逐次読み出し実行することにより、ＴＶチューナ３２、映像復号部３３、画像表示制御部３４、通信処理部３６、音声処理部３７、キー入力処理部３９、ケーシングパネル表示制御部４５等の各種周辺ＬＳＩを制御する。
主制御部３８は、受話筐体２と送話筐体３が開状態にあるときは画像表示制御部３４による画像表示をメイン表示部１３にて行わせ、閉状態を検出すると、テレビ放送の録画中を除き、画像表示制御部３４による画像の表示をメイン表示部１３からサブ表示部１４へ切り替える。また、主制御部３８は、後述するように電池パックカバー７０が装着されている場合はケーシングパネル表示制御部４５を起動して上記した警告メッセージを表示する。ケーシングパネル表示制御部４５とケーシング表示パネル８０についての詳細は後述する。
【００３４】
ＴＶチューナ３２は、ＴＶアンテナ３１を介して受信される、たとえば、地上波デジタル放送波を中間周波数信号に変換して復調し、さらに、復調して得られる信号を、映像信号成分と音声信号成分に分離し、映像復号部３３、音声処理部３７のそれぞれに供給する。音声処理部３７は、入力される音声信号成分から音声信号を生成し、メインケーブル４３経由で受話筐体２のスピーカ５０へ出力する。
【００３５】
また、映像復号部３３は、入力される映像信号成分を復号化し、共通バス１００を介して画像表示制御部３４へ出力する。画像表示制御部３４は、映像復号部３３により出力される復号信号を所定のフォーマットにしたがう画像データに変換し、メインケーブル４３を経由して受話筐体２のメイン表示部１３に出力する。
【００３６】
また、画像表示制御部３４は、カメラ２０により撮影され生成される撮像データをカメラケーブル４４、共通バス１００経由で取得し、所定のフォーマットに従う画像データに変換し、メインケーブル４３経由で受話筐体２のメイン表示部１３もしくはサブ表示部１４へ出力する。
【００３７】
一方、通信処理部３６は高周波回路を含み、電波を用いた無線通信を行うために、マイク４２を介して入力され音声処理部３７で処理された音声データを変調して送受信アンテナ３５を介し送信する。通信処理部３６はまた、送受信アンテナ３５を介して受信した信号を復調して音声処理部３７経由で受話筐体２のスピーカ５０に出力する。
【００３８】
キー入力処理部３９は、操作部１８に配置された各種キーからその入力情報を取得し、主制御部３８へ引き渡す。なお、配置される各種キーの中にはＴＶ放送の録画を指示する録画キーも含まれる。また各種キーの中にはメインケーブル４３経由で受話筐体２側にも配されていてもよい。さらに側面に配されるサイドキーも含まれる。
【００３９】
メモリ４０には、主制御部３８が実行するプログラムや、当該プログラムが参照するテーブル、あるいは作業領域として使用するデータ（表示データも含む）のそれぞれが格納される記憶領域が割り付けられている。
メモリ４０は、具体的には、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成されるものとする。
【００４０】
ケーシング表示制御部４５は、送話筐体３背面の蓋体１１に実装されたケーシング表示パネル８０に表示される表示画面の表示制御を行うものである。ケーシング表示制御部４５は、当該ケーシング表示制御部４５とともに、制御手段を構成する主制御部３８から送られてくる表示制御命令に従い、メモリ４０に格納されている表示画像データに基づいてケーシング表示パネル８０への画像（ここでは警告メッセージ）を表示させる。
すなわち、主制御部３８とケーシング表示制御部４５とは協働することにより、「検知手段による検知結果に基づき、電源筐体が離脱されている場合、表示手段に対して電源手段に関する情報を表示する制御手段」として機能する。詳細は、後述する図６のフローチャートを参照しながら説明する。
【００４１】
図５は、本発明の実施の形態にかかわる電子機器にて使用されるケーシング表示パネル８０の断面構造を示す図であり、図５の（ａ）は白黒のケーシング表示パネル、図５の（ｂ）はカラーのケーシング表示パネルの断面構造を示す図である。
【００４２】
ケーシング表示パネル８０は、いわゆる電子ペーパーと呼ばれるもので構成され、ここでは、図３（ｂ）に示す送話筐体３背面の蓋体１１上に貼り付けられているものとする。白黒のケーシング表示パネル８０は、図５の（ａ）に示されるように、透明下基材層８０１、画像記録層８０２、透明上基材層８０３、保護層８０４の４層構造となっている。
【００４３】
透明下基材層８０１の上部、すなわち携帯電話機１の蓋体外側には、下格子電極が設けられており、透明上基材層８０３の下部、すなわち携帯電話機１の蓋体内部側には、上格子電極が設けられている。上記した下格子電極は、携帯電話機１の横方向に平行に延びる多数の電線で構成されており、各電線の端部は、ケーシングパネル表示制御部４５に接続された信号端子に接続されている。
また、上格子電極は、携帯電話機１の縦方向に平行に延びる多数の電線で構成されており、各電線の端部も同様にケーシングパネル表示制御部４５に接続された各信号端子に接続されている。このように、下格子電極および上格子電極は、ケーシング表示パネル８０の全ての表示領域にわたり、その電極が延びる方向が互いに直交するように配置されている。
【００４４】
そして、ケーシングパネル表示制御部４５から適切なＯＮ／ＯＦＦタイミングの電気信号を入力することで、表示領域の任意の領域における下格子電極の電線と上格子電極の電線との間の電位差を制御することができる。
画像記録層８０２としては、下格子電極と上格子電極との間に印加される電位差によってその領域の可視状態を制御することが可能であって、ケーシングパネル表示制御部４５から電気信号の入力がなくなっても、その可視状態が維持されるものを利用することができる。例えば、透明なマイクロカプセル内に多数の白色粒子及び黒色粒子を封入し、これを下格子電極の電線と上格子電極の電線とが互いに交差する全ての画素点に配置したものを、画像記録層８０２として用いることができる。この場合、各マイクロカプセル内の白色粒子と黒色粒子は互いに逆極性に帯電している。
【００４５】
ここでは、白色粒子として負極性帯電物質を用い、黒色粒子として正極性帯物質を用いる。したがって、ケーシングパネル表示制御部４５から電気信号を入力して、ある画素点における下格子電極の電位を負極性とし、上格子電極の電位を正極性とした場合、その画素点のマイクロカプセル内では白色粒子が上格子電極側へ電気泳動し、黒色粒子が下格子電極側へ電気泳動する。
その結果、この画素点を携帯電話機１の外部から見たとき、その画素点は白色に見える。逆に、下格子電極の電位を正極性とし、上格子電極の電位を負極性とした場合の画素点は、黒色に見える。
【００４６】
上記した表示制御を全ての表示領域に渡って行うことで所望のモノクロ画像を表示させることができる。また、各マイクロカプセル内の黒色粒子と白色粒子の配置は、ケーシングパネル表示制御部４５からの電気信号入力がなくなっても維持される。したがって、ケーシング表示パネル８０は、一旦表示した画像については無給電状態であってもそのままの画像表示を維持することができる。また、ケーシングパネル表示制御部４５から入力される電気信号に応じて、多階調のモノクロ画像は勿論のこと、ブリンク、点滅等の強調表示を行なうこともできる。
【００４７】
また、カラー画像を表示させることも可能である。すなわち、図５の（ｂ）に示されるように、透明上基材層８０３と保護層８０４との間にカラーフィルタ層８０５を設ければよい。このカラーフィルタ層８０５として、Ｒ、Ｇ、Ｂの３色のフィルタを用いた場合、下格子電極の電線と上格子電極の電線とが互いに交差する領域のうち、互いに隣接する３つの領域を１つの画素として取り扱う。そして、この３つの領域にそれぞれＲ、Ｇ、Ｂのフィルタ部分が対向するように、カラーフィルタ層を設ける。これにより、例えば、画素を赤色とする場合には、Ｒフィルタ部分に対向するマイクロカプセルについては白色粒子が上格子電極側へ電気泳動し、Ｇフィルタ部分およびＢフィルタ部分に対向するマイクロカプセルについては黒色粒子が上格子電極側へ電気泳動するような電気信号を入力すればよい。
【００４８】
図６は、本発明の実施の形態に係る電子機器の動作を示すフローチャートであり、具体的にはケーシング表示パネル８０（電子ペーパー）の表示制御にかかわる部分のみを抽出して示してある。
【００４９】
図６のフローチャートにおいて、主制御部３８は、携帯電話機１の送話筐体３の背面の電池パックカバー７０近傍に埋め込まれたマイクロスイッチ７２のＯＮ／ＯＦＦを常時監視しており、電池パックカバー７０の動きをイベントとして取得する（ステップＳ６０１）。ここで、例えば、ユーザがラッチ７２を解除して電池パックカバー７０を取り外す行為を行なった場合、主制御部３８は、マイクロスイッチ７２がＯＦＦ状態からＯＮ状態に遷移することによりイベント発生とみなし、その種別を判定する（ステップＳ６０２）。
【００５０】
ここで、イベント種別が電池パックカバー７０の離脱と判定された場合（ステップＳ６０２“外す”）、主制御部３８は、ケーシングパネル表示制御部４５に対し、メモリ４０から警告メッセージ「電源ＯＮ中の電池パックの取り外しはデータが失われる可能性があります」を読み出して転送する。これを受けたケーシングパネル表示制御部４５は、当該警告メッセージをケーシング表示パネル８０へ供給し、適切なＯＮ／ＯＦＦタイミングの電気信号を入力することで、表示領域の任意の領域における下格子電極の電線と上格子電極の電線との間の電位差を制御して警告メッセージを表示する（ステップＳ６０３）。
なお、警告メッセージとしては、他に、「長時間電池パックを取り外すとデータが失われる可能性があります」も用意される。選択は任意である。このようにケーシング表示パネル８０に表示される情報には、電池パック６０が携帯電話機１から離脱された場合の警告を含むことが好ましい。
【００５１】
一方、イベント種別が電池パックカバー７０の装着と判定された場合（ステップＳ６０２“付ける”）、主制御部３８は、ケーシングパネル表示制御部４５に対し、表示中の警告メッセージを消去するデータを転送し、これを受けたケーシングパネル表示制御部４５は、当該警告メッセージの消去データをケーシング表示パネル８０へ供給し、適切なＯＮ／ＯＦＦタイミングの電気信号を入力することで、表示領域の任意の領域における下格子電極の電線と上格子電極の電線との間の電位差を制御して警告メッセージを消去する（ステップＳ６０４）。
【００５２】
上記したように、電子ペーパーは、一旦表示が行われると、消去もしくは表示内容の更新を行なわない限り、一旦表示された警告メッセージが継続して表示されるため、ユーザに対し、継続的に注意喚起を行なうことができ、また、その間、電力が不要となるため省電力化を実現できる。したがって、従来のように注意書きが記述されたシールの貼付が不要となり、電子機器としての外観の美観を損なうことがない。また、警告表示を行う場合、点滅や反転、諧調やカラーといった強調表示を行うことでユーザに対し一層の注意喚起が可能になる。
なお、警告表示を行わない場合、電子ペーパーは、メイン表示部１３、サブ表示部１４同様、通常の表示デバイスとしても使用できるため、使い勝手が向上する。
【００５３】
なお、上記した本発明の実施の形態によれば、主制御部３８がメモリ４０から読み出した警告メッセージをケーシングパネル表示制御部４５に対して転送し、ケーシングパネル表示制御部４５がケーシング表示パネル８０を駆動して警告メッセージを表示する構成としたが、不図示のバスを介して主制御部３８とケーシングパネル表示制御部４５とが共通に接続される構成とすることで、主制御部３８はケーシングパネル表示制御部４５に対して表示制御命令を発行するだけとし、以降は、ケーシングパネル表示制御部４５がメモリ４０から警告メッセージを読み出してケーシング表示パネル８０に転送し、ケーシング表示パネル８０を駆動制御してもよい。この場合、主制御部３８は、表示データの転送処理から解放されるためスループットの向上がはかれる。
【００５４】
また、上記した本発明の実施の形態では、回路基板３０の中にケーシングパネル表示制御部４５を含むものとして説明したが、ケーシング表示パネル８０が表示メモリと表示ドライバとを内蔵する場合、ケーシングパネル表示制御部４５は不要となり、主制御部３８がケーシング表示パネル８０を直接制御することができる。
【００５５】
なお、上記した本発明の実施の形態によれば、画像が表示され、当該表示された画像に対して消去もしくは上書き処理がなされるまで画像の表示を継続するとともに、画像の表示を継続する電力が不要な表示手段として電子ペーパーを例示したが、電子ペーパーに限らず、電子ペーパーのように内容書き換えが可能で、表示を維持するのに電力を不要とするデバイスであれば代替が可能である。
また、ケーシング表示パネル８０は、送話筐体３の背面に貼付して実装されるものとして説明したが、実装の形態、および実装箇所については特に制限されるものでなく、電池パック６０を覆う電池パックカバー７０を視認可能な方向から視認可能な任意の箇所に、また、埋め込む等、任意の実装形態にて搭載してよい。また、ケーシング表示パネル８０は、送話筐体３に設けられている場合に限定されず、受話筐体２、又は受話筐体２及び送話筐体３に設けられているとしても良い。
【００５６】
また、上記した本発明の実施の形態によれば、電子機器として携帯電話機１のみ例示したが、携帯電話機１に限らず、ＰＤＡ（Personal Digital Assistants）、やゲーム機等にも同様に適用が可能である。また、本発明の電子機器が持つ各構成ブロックの機能は、全てをハードウェアによって実現しても、あるいはその少なくとも一部をソフトウェアで実現してもよい。例えば、主制御部３８における処理や、映像復号部３６、音声処理部３７におけるデータ処理は、１または複数のプログラムによりコンピュータ上で実現してもよく、また、その少なくとも一部をハードウェアで実現してもよい。
【図面の簡単な説明】
【００５７】
【図１】本発明の実施の形態に係る電子機器の外観を開状態で示した正面図である。
【図２】本発明の実施の形態にかかわる電子機器の外観を開状態で示す視点が側方寄りの斜視図である。
【図３】本発明の実施の形態にかかわる電子機器の外観を閉状態で示す正面図および背面図である。
【図４】本発明の実施の形態にかかわる電子機器の信号処理系の構成の一例を示すブロック図である。
【図５】本発明の実施の形態にかかわる電子機器で使用されるケーシング表示パネルの断面構造を示す図である。
【図６】本発明の実施の形態に係る電子機器の動作を示すフローチャートである。
【符号の説明】
【００５８】
１…携帯電話機、２…受話筐体、３…送話筐体、３８…主制御部（制御手段）、４５…ケーシングパネル表示制御部（制御手段）、６０…電池パック（電源手段）、７０…電池パックカバー（電源筐体）、７１…ラッチ、７２…マイクロスイッチ（検知手段）、８０…ケーシング表示パネル（電子ペーパー、表示手段）。
【図１】
2008211512.tif 000003
【図２】
2008211512.tif 000004
【図３】
2008211512.tif 000005
【図４】
2008211512.tif 000006
【図５】
2008211512.tif 000007
【図６】
2008211512.tif 000008